(57)【特許請求の範囲】
【請求項１】
一端側が開放されたブッシング挿入部(1) を有する細長い本体(2) と、その本体(2) の長手方向に移動自在に案内されて該本体(2) に設けられた重心移動用のバランスウエイト(3) と、前記バランスウエイト(3) を前記長手方向に駆動する駆動手段(4) と、前記ブッシング挿入部(1) またはその近傍に設けられた長尺なブッシング(8) の中間部を保持するブッシング保持手段(5) と、を具備し、
そのブッシング保持手段(5) は、
ブッシング挿入部(1) の互いに対向する位置に設けた一対のロープ係止端(25)と、ブッシング挿入部(1) に設けられ、所定の姿勢を維持できるブッシング支え(15)と、を有し、 吊上げられるブッシング(8) を重力方向に位置し、前記本体(2) が前記バランスウエイト(3) により水平に維持されると共に、前記ブッシング挿入部(1) がそのブッシング(8) の中間部に挿入され、ブッシング(8) の下部を保持したロープが前記ロープ係止端(25)に止着され且つ、ロープを介し前記ブッシング支え(15)により前記ブッシング挿入部(1) より上方位置でブッシング(8) を揺れ止め支持して、前記本体(2) を吊上げ装置(6) のアーム(6a)により吊上げられるように構成したブッシング吊り天秤。
【請求項２】
請求項１において、その天秤に傾斜センサー７が設けられ、その傾斜センサー７からの傾斜信号により前記駆動手段４を介して、その傾斜信号がなくなるように前記バランスウエイト３を移動するように構成したブッシング吊り天秤。
【発明の詳細な説明】
【０００１】
【発明の属する技術分野】
本発明は、主として変電所における不活性ガス封入型遮断機等の絶縁碍子を構成するブッシングの取替え工事等において、そのブッシングの取外し及び取付け作業時に吊り具の高さを低くし、活線（上方架線の通電状態）のもとで作業を可能にする吊り天秤に関する。
【０００２】
【従来の技術】
従来、屋外の変電設備におけるブッシングを有する遮断機の取替え工事は、図１２の如くレッカー車等の吊上げ装置６の伸縮型アーム６ａ先端に、既設の遮断機本体１７のブッシング８の上端部をつり上げて先ず取外し、ついで新たなブッシング８をその遮断機本体１７のブッシング取付部２３に取付ける作業を行っていた。このとき、架線２４が活線（通電状態のもの）である場合には、その架線２４，接続線２４ａから一定距離離れた範囲である鎖線よりも下方に吊上げ装置６のアーム６ａ先端が位置する必要があった。
【０００３】
【発明が解決しようとする課題】
しかし従来のブッシング取付け工法によれば、そのブッシング８の吊り代確保のため、レッカー車のアーム６ａ（ブーム）の先端を高くする必要があり、図１２に示す如く、架線２４，接続線２４ａとの離間距離が充分とれなくなる問題があった。すると、架線２４の停電を行って工事を行う必要があり、工事日程が限られる不都合があった。
そこで本発明は、上記課題を解決するブッシング吊り天秤を提供するものである。
【０００４】
【課題を解決するための手段】
請求項１に記載の本発明は、一端側が開放されたブッシング挿入部(1) を有する細長い本体(2) と、その本体(2) の長手方向に移動自在に案内されて該本体(2) に設けられた重心移動用のバランスウエイト(3) と、前記バランスウエイト(3) を前記長手方向に駆動する駆動手段(4) と、前記ブッシング挿入部(1) またはその近傍に設けられた長尺なブッシング(8) の中間部を保持するブッシング保持手段(5) と、を具備し、
そのブッシング保持手段(5) は、
ブッシング挿入部(1) の互いに対向する位置に設けた一対のロープ係止端(25)と、ブッシング挿入部(1) に設けられ、所定の姿勢を維持できるブッシング支え(15)と、を有し、 吊上げられるブッシング(8) を重力方向に位置し、前記本体(2) が前記バランスウエイト(3) により水平に維持されると共に、前記ブッシング挿入部(1) がそのブッシング(8) の中間部に挿入され、ブッシング(8) の下部を保持したロープが前記ロープ係止端(25)に止着され且つ、ロープを介し前記ブッシング支え(15)により前記ブッシング挿入部(1) より上方位置でブッシング(8) を揺れ止め支持して、前記本体(2) を吊上げ装置(6) のアーム(6a)により吊上げられるように構成したブッシング吊り天秤である。
また本発明の好ましい実施形態は、その天秤に傾斜センサー(7) が設けられ、その傾斜センサー(7) からの傾斜信号により前記駆動手段(4) を介して、その傾斜信号がなくなるように前記バランスウエイト(3) を移動するように構成したものである。
【０００５】
【発明の実施の形態】
次に、図面に基づいて本発明の実施の形態につき説明する。
図１は本発明の吊り天秤の使用状態を示す立面図、図２は同平面図、図３は同左側面図である。また、図４〜図１１は本発明の吊り天秤によってブッシング８を吊上げて遮断機本体１７のブッシング取付部２３に取付ける取付説明図である。
この吊り天秤２７は、図１，図２に示す細長い本体２の一端に平面コ字状の保持部２ａが設けられ、その内部にブッシング挿入部１を形成する。また、保持部２ａの先端部内面には一対のロープ係止端２５が突設されている。さらに、ブッシング挿入部１の根本部には一対の短軸（図９参照）が突設され、夫々にブッシング支え１５の後端が回動自在に軸支され、その先端部に図１の如くロープ２１が係止される。そしてブッシング支え１５の軸支部と短軸とにピン１５ａを挿通することにより、回り止めされる。このブッシング支え１５は図９の如くシリンダ型をなし、収縮方向に付勢されている。そしてこれらにより、ブッシング保持手段５を構成する。
この実施例においてブッシング８は多数の碍子の結合体からなり、その外表面は凹凸を有し、図面にはその略図を示す。そしてその下端部にはフランジ部９が設けられ、そのフランジ部９が図１０の如く遮断機本体１７のブッシング取付部２３にボルトを介して着脱自在に締結固定されるものである。
【０００６】
次に、本体２の下面側には長手方向に離間し一対の軸受２６が設けられ、夫々の軸受２６にネジシャフト１１の両端部が軸支されている。ネジシャフト１１の一端には駆動手段４を構成する減速機付モータ１２の回転軸が連結されている。そのネジシャフト１１には、バランスウエイト３の図示しない内ネジが螺着されている。なお、バランスウエイト３は図示しないガイドレール等を介して本体２の長手方向に案内されている。
次に、本体２の他端部上面には制御装置１３が設けられ、制御装置１３上に一対の安定表示灯１６が取付けられている。この安定表示灯１６は一方が赤に点灯し他方が青に点灯する。さらに、本体２上面の中央には傾斜センサー７が配置され、その傾斜信号が制御装置１３に入力される。そしてこの制御装置１３は、傾斜センサー７の傾斜信号が零になる方向へモータ１２を駆動停止するように構成されている。
【０００７】
【作用】
次に、本発明のブッシング吊り天秤を用いてブッシング８を遮断機本体１７に取付ける手順を図４〜図１０により説明する。
先ず、レッカー車等からなる吊上げ装置６のアーム６ａに吊りワイヤ１４を介して吊り天秤２７を吊上げる。そして、制御装置１３をＯＮすることにより傾斜センサー７の傾斜信号を制御装置１３に入力し、その傾斜信号が零になる方向にモータ１２を回転駆動する。するとネジシャフト１１が回転し、バランスウエイト３が図において本体２の先端側に移動する。本体２が水平になると安定表示灯１６の赤ランプ１６ｂが消灯し、青ランプ１６ａが点灯する。
【０００８】
この状態で吊り天秤２７をブッシング８に近づける。そしてブッシング８の下部に一対および中間部１０に一つ図５の如くロープ２０，２１（ナイロンスリング）を懸回し、一対のロープ２０の先端を保持部２ａのロープ係止端２５（図２参照）に係止させる。それと共に、中間部１０のロープ２１にブッシング支え１５の先端を係止する。そしてアーム６ａを僅かに上昇させると本体２が傾斜し、青ランプ１６ａが消灯すると共に赤ランプ１６ｂが点灯する。すると、傾斜センサー７からの傾斜信号により制御装置１３を介してモータ１２が駆動され、バランスウエイト３は図６において右方に移動する。そして図７の如く本体２が水平になると赤ランプ１６ｂが消灯し、青ランプ１６ａが点灯する。それと共に、モータ１２の駆動が停止される。次いで、ブッシング８の頭部を図６，図８の如く上方に回転する。そして図９のブッシング支え１５の軸支部にピン１５ａを挿入し、その回転を止める。
【０００９】
次に図１０の如く、ブッシング８を遮断機本体１７のブッシング取付部２３上に移動させ、ブッシング８のフランジ部９をブッシング取付部２３に着座させる。そして、図示しない締結ボルトを介してフランジ部９をブッシング取付部２３上に締結固定する。次いで、アーム６ａを僅かに下降させると本体２が傾斜し青ランプ１６ａが消灯し赤ランプ１６ｂが点灯する。すると、傾斜センサー７からの傾斜信号をうけ、制御装置１３を介しモータ１２が駆動されることにより、バランスウエイト３を左方に移動させて本体２が水平状態になる。そこで、ロープ２０，２１を保持部２ａ及びブッシング８から取り外してブッシング８の取付け作業を完了する。
【００１０】
【発明の効果】
本発明は、水平に保持することができる吊り天秤27及びロープ並びにブッシング支え15を介して長尺なブッシング８の長手方向中間部10を保持して、簡易な装置により安定に吊上げることができる。即ち、吊上げられるブッシング８を重力方向に位置し、本体２がバランスウエイト３により水平に維持されると共に、ブッシング挿入部１がそのブッシング８の中間部に挿入され、ブッシング８の下部を保持したロープがロープ係止端25に止着され且つ、ロープを介しブッシング支え15によりブッシング挿入部１より上方位置でブッシング８を揺れ止め支持して、本体２を吊上げ装置６のアーム6aにより吊上げられるものである。それにより、変電所等においてブッシング８上方に存在する通電状態の架線24からの離間距離を十分確保できると共に、架線の停電なしに遮断機の取替え工事が可能となる。
【図面の簡単な説明】
【図１】本発明の吊り天秤の使用状態を示す立面図。
【図２】同平面図。
【図３】同左側面図。
【図４】本発明の吊り天秤によりブッシング８を吊上げる第１工程を示す。
【図５】同第２工程を示す。
【図６】同第３工程を示す。
【図７】同第４工程を示す。
【図８】同第５工程を示す。
【図９】同吊り天秤のブッシング支え１５の詳細図。
【図１０】吊上げられたブッシング８を遮断機本体１７のブッシング取付部２３に取付ける取付説明図。
【図１１】ブッシング８取付け後に本吊り天秤を取り外す作業の説明図。
【図１２】従来型工法によるブッシング８着脱説明図。
【符号の説明】
１  ブッシング挿入部
２  本体
２ａ  保持部
３  バランスウエイト
４  駆動手段
５  ブッシング保持手段
６  吊上げ装置
６ａ  アーム
７  傾斜センサー
８  ブッシング
９  フランジ部
１０  中間部
１１    ネジシャフト
１２    モータ
１３    制御装置
１４    吊りワイヤ
１５    ブッシング支え
１５ａ  ピン
１６    安定表示灯
１６ａ  青ランプ
１６ｂ  赤ランプ
１７    遮断機本体
１８    係止環
１９    フック
２０，２１  ロープ
２２    支持台
２３    ブッシング取付部
２４    架線
２４ａ  接続線
２５    ロープ係止端
２６    軸受
２７    吊り天秤
【図１】
0003569857.tif 000002
【図２】
0003569857.tif 000003
【図３】
0003569857.tif 000004
【図４】
0003569857.tif 000005
【図５】
0003569857.tif 000006
【図６】
0003569857.tif 000007
【図７】
0003569857.tif 000008
【図８】
0003569857.tif 000009
【図９】
0003569857.tif 000010
【図１０】
0003569857.tif 000011
【図１１】
0003569857.tif 000012
【図１２】
0003569857.tif 000013